(57)【要約】【課題】作業効率を改善するとともに省人化を図ることができ、繰り返し使用可能で省資源に貢献可能な、機械要素の様々な情報を表示可能な電子ペーパーを備えた機械要素移動時に使用する搬送用資材を提供する。【解決手段】機械要素、例えば軸受を移動する際に使用する搬送用資材であって、軸受の情報を表示可能な電子ペーパー２０を備えたことを特徴とする搬送用資材である。電子ペーパーは、表示を電気的に変更可能であり、その表示が電源遮断後も維持される機能を備え、例えば、機械要素の情報として、軸受の名番、日付、成績表等を表示する。また、搬送用資材はトレイ１０であり、該トレイの外部から視認可能な外側面、例えば前壁面１２に電子ペーパー２０を備える。【選択図】図１
2008168958.tif 000002
【特許請求の範囲】
【請求項１】
機械要素を移動する際に使用する搬送用資材であって、機械要素の情報を表示可能な電子ペーパーを備えたことを特徴とする搬送用資材。
【請求項２】
電子ペーパーは、表示を電気的に変更可能であり、その表示が電源遮断後も維持される機能を備えていることを特徴とする請求項１に記載の搬送用資材。
【請求項３】
機械要素は軸受であることを特徴とする請求項１又は２に記載の搬送用資材。
【請求項４】
機械要素の情報は軸受の名番、日付、成績表であることを特徴とする請求項３に記載の搬送用資材。
【請求項５】
搬送用資材はトレイであり、該トレイの外部から視認可能な外側面に電子ペーパーを備えたことを特徴とする請求項１〜請求項４のいずれかに記載の搬送用資材。
【請求項６】
搬送用資材は軸受を梱包する意匠箱であり、該意匠箱の外部から視認可能な一面が電子ペーパーで構成されていることを特徴とする請求項１〜請求項４のいずれかに記載の搬送用資材。
【発明の詳細な説明】
【技術分野】
【０００１】
本発明は機械要素を移動する資材に関し、詳細には、移動される機械要素の情報を表示可能な電子ペーパーを備えた搬送用資材に関する。
【背景技術】
【０００２】
従来、機械要素を移動するためのトレイや意匠箱等の搬送用資材には、収容され移動される機械要素を判別するため、その搬送用資材の外部から視認可能な箇所に機械要素の情報を記載した紙片を添付している。この場合には、収容される機械要素が変わる度に、新しい情報を記載した紙片に取り替える必要があり、そのためには、予め紙片に新しい情報を記載する手間と、古い紙片を取り外し廃棄処理する手間と、新しい紙片を添付する手間がかかり、それらの手間と費用が嵩んでいた。
【０００３】
また、近年では、紙片に代えて情報の書き換えが可能で繰り返し使用することができるＩＣタグ（電子タグ）に機械要素の情報を記載し、該ＩＣタグを搬送用資材に添付するものもある。
例えば、特許文献１は、外装容器に、品質に関連する情報などが書き込まれたＩＣタグを貼り付け、ユーザーが納品後に、ＩＣタグから必要な情報を読み出すことができるものである。
また、特許文献２はメモリ等のＩＣチップと、ＩＣチップに接続したアンテナと、アンテナ及びＩＣチップを被覆する被覆体とを具備するＩＣタグを、軸受を包装する包装容器に取り付け、ＩＣチップに予め書き込んだ包装容器内の商品に関する貴重な固有情報を、読取装置により読み取ることができるものである。
【０００４】
しかしながら、上記従来技術では、ＩＣタグを使用しているので、ＩＣタグを容器に取り付けるための加工が複雑になるうえ、取り付けのための装置も必要となる。
さらに、ＩＣタグに記録された情報を利用する場合、すなわち、機械要素の情報を読みたい場合には、ＩＣタグから情報を読み出す読み出し装置と、その読み出した情報を表示する表示装置が必要となる。従って、各搬送先に予め読み出し装置と表示装置を設置しておかなければならないので、設置するための設備投資や、それら装置を管理するための手間や費用が嵩んでしまう。また、それら装置を動作させる電源を確保できない場合や、読み出し装置と表示装置を設置していない搬送先ではＩＣタグに記録された情報を利用することができなかった。
【０００５】
【特許文献１】特開２００６−４４７４０号公報
【特許文献２】実登３１０６１４８号公報
【発明の開示】
【発明が解決しようとする課題】
【０００６】
本発明の目的は、作業効率を改善するとともに省人化を図ることができ、繰り返し使用可能で省資源に貢献可能な、機械要素の様々な情報を表示可能な電子ペーパーを備えた機械要素移動時に使用する搬送用資材を提供することである。
【課題を解決するための手段】
【０００７】
上記課題を達成するために、本発明が成した技術的手段は、機械要素を移動する際に使用する搬送用資材であって、軸受の情報を表示可能な電子ペーパーを備えたことを特徴とする搬送用資材である。その機械要素は軸受であっても良い。その電子ペーパーは、表示を電気的に変更可能であり、その表示が電源遮断後も維持される機能を備えていても良い。さらに、機械要素の情報は軸受の名番、日付、成績表であっても良い。また、搬送用資材はトレイであり、該トレイの外部から視認可能な外側面に電子ペーパーを備えていても良く、或いは、搬送用資材は軸受を梱包する意匠箱であり、該意匠箱の外部から視認可能な一面が電子ペーパーで構成されていても良い。
【発明の効果】
【０００８】
本発明によれば、作業効率を改善するとともに省人化を図ることができ、繰り返し使用可能で省資源に貢献可能な、機械要素の様々な情報を表示可能な電子ペーパーを備えた機械要素移動時に使用する搬送用資材を提供することができる。
【発明を実施するための最良の形態】
【０００９】
以下、本発明の一実施の形態に係る搬送用資材について、添付図面に基づいて説明する。
本発明による搬送用資材は、機械要素、例えば軸受（図示しない）を所定箇所間において移動する際に、該軸受を収容して移動するために供されるものである。なお、本実施形態において、移動とは、機械要素を所定箇所間において移動する一時的な搬送工程のみならず、一旦移動された機械要素を再度移動するまで保管する状態も含み、さらには、収容した機械要素を取り出し口から供給する機械において、収容部から取り出し口まで機械要素を移動する搬送機構をも含む概念である。
搬送用資材は、本実施形態では例えば、図１に示すようにプラスチック等の合成樹脂で所望の面積を備えて成形された底板１と、その底板の４辺からそれぞれ、正面壁１２、背面壁１３、左壁１４及び右壁１５が一体に立ち上がって成るトレイ１０を形成している。
【００１０】
さらに、トレイ１０の外部から視認可能な外側面には、電子ペーパー２０が着脱可能に貼り付けられている。本実施形態では、前記外部から視認可能な外側面の一例として、正面壁１２の外面が選択されている。また、電子ペーパー２０の裏面には、貼付剥離自在な接着剤が塗布されている。その塗布面を正面壁１２の外面に密着させることによって、電子ペーパー２０が正面壁１２の外面に固定される。
ここで、電子ペーパー２０とは、紙の長所とされる視覚性や携帯性を持ったもののうち表示する内容を電気的に簡易に書き換えることができるものをいう。また、薄く、柔軟性を備え、折り曲げることも可能で、液晶パネルなどに比べ消費電力が少なく電源の切断後も一定期間表示を維持することができるという特徴を備える。
【００１１】
なお、本実施形態では、電気的に容易に書き換えられ、電源切断後も表示を維持できる限りにおいて電子ペーパーの方式は問わない。例えば、電気・磁気によって書き換えるツイストボール方式、電気泳動方式、電磁泳動方式、電子的な粉流体による方式、帯電トナー型表示方式、液晶表示方式、電解析出方式、エレクトロクロミック方式、フィルム移動方式の何れかであっても良く、あるいは、熱によって書き換える方式や、電気と熱、電気と光の併用によって書き換える方式のものであっても良い。
【００１２】
また、前記トレイ１０の正面壁１２に電子ペーパー２０を貼り付ける方法として、本実施形態では、電子ペーパー２０の裏面に接着剤を塗布したが、軸受が移動される間、トレイ１０の正面壁１２に備えられる限りにおいてこれに限定されず、他の貼り付け方法であっても良い。例えば、トレイ１０の正面壁１２に透明窓を備えた状差し状のポケットを設け、そのポケットに電子ペーパー２０を差し込み、透明窓から表示を視認可能にしても良いし、あるいは、トレイ１０の正面壁１２の成形時に電子ペーパー２０が一体に取り付けられていても良い。なお、本実施形態では、トレイ１０の外部から視認可能な外側面として正面壁１２を採用したが、これに限定されず、トレイ１０の使用環境に応じて他の個所に電子ペーパー２０を貼り付けても良い。例えば他の面であっても良いし、或いはトレイ１０が透明な部分を備えている場合には、電子ペーパー２０がトレイ１０の内側に配されていて、電子ペーパー２０に表示された情報を透明な部分を介して外部から視認可能なものでも良い。
【００１３】
このような構成による搬送用資材を使用する場合には、まず、トレイ１０に軸受を収容する際に、所定の書き込み装置を使用して電子ペーパー２０に所望の情報の書き込み指令を転送し、電子ペーパー２０に軸受の情報を表示させる。例えば、本実施形態では、一例として、図２に示すように、軸受の名番情報として「６２０３ＺＺＣ３」及び「ＬＡ−１２０１」が表示され、日付情報として「２００６／８／１０」が表示されている。なお、表示内容はこれに限定されず、需要に応じて自由に設定可能である。例えば、成績表や、納入品仕様図等を表示しても良い。また、これらをバーコード化したものや、あるいは２次元コードや３次元コード、例えばＱＲコード（Ｑｕｉｃｋ  Ｒｅｓｐｏｎｓｅ  ｃｏｄｅ）等を併記しても良い。
【００１４】
このように一旦表示された情報は、電子ペーパー２０に対する情報信号の転送を切断して電力の供給を断った後にも表示されつづける。
次に、軸受はトレイ１０とともに所定の搬送先に移動させられる。その搬送先では、電子ペーパー２０に表示された情報を、他の読取装置を介することなく、肉眼で読むことにより、その情報を利用することができる。また、各種の読取装置と併用することもできる。
さらに、電子ペーパー２０に表示された情報は、他の情報を表示する必要がある場合、例えば、搬送が完了して他の機械要素を収容する場合等には、前記所定の書き込み装置によって容易に消去し、新しい情報を表示することができる。
【００１５】
また、本実施形態では、搬送用資材としてトレイ１０を構成した一例を説明したが、搬送用資材はこれに限定されるものではなく、他の搬送用資材であっても良い。例えば、図３に示すような、軸受を梱包する意匠箱３０であっても良い。この場合には、意匠箱３０の外部から視認可能な一面３１が電子ペーパー２０で構成されていても良い。
さらに、搬送用資材は、機械要素を収容して移動可能な限りにおいて、その他の搬送用資材、例えば、チューブ、通い箱、パレット等（図示を省略）であっても良く、または、ＶＣＩ紙（気化性防錆紙）や包装紙を兼ねていても良い。
【００１６】
また、搬送用資材は、収容した機械要素を取り出し口から供給する機械において、軸受部品、（保持器、シール、シールド板等）を収容部から取り出し口まで機械要素を移動する搬送機構、例えばくし型の機材にも貼り付けて使用することも可能である。この場合には、その搬送機構にセットされている軸受部品の情報を表示すれば、セットされた軸受部品を取り出して確認する手間を掛ける必要が無く、さらには、部品の取り違いを防止することもできる。
【００１７】
本実施形態による搬送用資材では、移動させられる機械要素の様々な情報を電子ペーパー２０に表示するので、書き込み装置を操作するだけで書き込み作業が完了し、作業効率を改善するとともに省人化を図ることができる。さらに、従来の紙片との置き換えが可能であるので、電子ペーパー２０を取り付けるための加工が不要で、簡単に取り付けることができる。さらに、搬送中にわたって情報を表示し続けるための電源を供給する必要が無く、電力事情が悪くても使用することが可能である。また、読み取りのための特別な設備が不要であり、交換も簡単で作業に手間を取らず、あるいは、一旦表示した情報を消去して新しい情報に書き換えて表示することができるので、繰り返し使用可能で省資源に貢献することができる。
【図面の簡単な説明】
【００１８】
【図１】本発明による搬送用資材の一例を示す斜視図である。
【図２】電子ペーパーに表示される情報の一例を示す説明図である。
【図３】本発明による搬送用資材の他の例を示す斜視図である。
【符号の説明】
【００１９】
１０  トレイ
１２  前壁面
２０  電子ペーパー
【図１】
2008168958.tif 000003
【図２】
2008168958.tif 000004
【図３】
2008168958.tif 000005